【手続補正書】
【提出日】平成18年7月14日(2006.7.14)
【手続補正１】
【補正対象書類名】明細書
【補正対象項目名】特許請求の範囲
【補正方法】変更
【補正の内容】
【特許請求の範囲】
【請求項１】  双方向テレビ番組ガイドアプリケーションが、少なくとも部分的にユーザのユーザテレビ機器上でインプリメントされる、双方向テレビ番組ガイドシステムであって、
テレビ番組編成用の双方向構成要素を提供する、番組ガイドと関係のないアプリケーションをインプリメントする手段と、
該双方向テレビ番組ガイドが該番組ガイドと関係のないアプリケーション用のポータルとして機能を果たすことを可能にする、アプリケーション番組インターフェースを提供する手段と、
該ユーザが該双方向構成要素にアクセスすることを所望する場合に、該双方向テレビ番組ガイドアプリケーション内から、該番組ガイドと関係のないアプリケーションを起動する手段と、
を含む、システム。
【請求項２】  前記起動する手段が、前記双方向テレビ番組ガイドアプリケーションで、前記ユーザテレビ機器に画面上のオプションを表示する手段を含む、請求項１に記載のシステム。
【請求項３】  前記双方向テレビ番組ガイドアプリケーションによって、ビデオオンデマンド番組リスト項目を、前記ユーザテレビ機器に表示される番組ガイド表示画面の一部として含める手段をさらに含む、請求項２に記載のシステム。
【請求項４】  前記双方向テレビ番組ガイドアプリケーションによって、前記ビデオオンデマンド番組リスト項目を、前記ユーザテレビ番組ガイド機器に表示される番組リスト項目のリストにおいて表示する手段をさらに含む、請求項３に記載のシステム。
【請求項５】  前記画面上のオプションを表示する前記手段が、前記双方向テレビ番組ガイドアプリケーションを用いて、メニューオプションを番組ガイド表示画面上に表示する手段をさらに含む、請求項２に記載のシステム。
【請求項６】  前記画面上のオプションを表示する前記手段が、前記双方向テレビ番組ガイドアプリケーションで、特定のタイプの内容に向けた番組リスト項目を含む、番組ガイド表示画面に該画面上のオプションを表示する手段をさらに含む、請求項２に記載のシステム。
【請求項７】  前記起動する手段が、ホットリンクを用いて、前記双方向テレビ番組ガイドアプリケーションで、前記番組ガイドと関係のないアプリケーションを起動する手段をさらに含む、請求項１に記載のシステム。
【請求項８】  前記ホットリンクがウェブブラウザアプリケーションと関係するシステムであって、
前記双方向テレビ番組ガイドから該ウェブブラウザアプリケーションを起動する手段と、
該双方向テレビ番組ガイドの内容と関係する内容のウェブページにアクセスするように、該ウェブブラウザアプリケーションに指令する手段と、
を含む、請求項７に記載のシステム。
【請求項９】  前記ホットリンクが電子メールアプリケーションと関係するシステムであって、
前記双方向テレビ番組ガイドから該電子メールアプリケーションを起動する手段と、
該双方向テレビ番組ガイドの内容と関係するアドレスに電子メールをアドレスするように、該電子メールアプリケーションに指令する手段と、
を含む、請求項７に記載のシステム。
【請求項１０】  前記ホットリンクがホームショッピングアプリケーションと関係するシステムであって、
前記双方向テレビ番組ガイドから該ホームショッピングアプリケーションを起動する手段と、
該双方向テレビ番組ガイドの内容と関係する製品を提示するように、該ホームショッピングアプリケーションに指令する手段と、
を含む、請求項７に記載のシステム。
【請求項１１】  前記ホットリンクがチャットアプリケーションと関係するシステムであって、
前記双方向テレビ番組ガイドから該チャットアプリケーションを起動する手段と、
該双方向テレビ番組ガイドの内容に基づいて機能を行うように、該チャットアプリケーションに指令する手段と、
を含む、請求項７に記載のシステム。
【請求項１２】  番組ガイドと関係のないアプリケーション内容を、前記双方向テレビ番組ガイドによって提供される番組ガイド表示画面に組み込む手段をさらに含む、請求項１に記載のシステム。
【請求項１３】  双方向テレビ番組ガイドアプリケーションが、少なくとも部分的にユーザのユーザテレビ機器上でインプリメントされる、双方向テレビ番組ガイドシステムを用いる方法であって、
テレビ番組編成用の双方向構成要素を提供する、番組ガイドと関係のないアプリケーションをインプリメントする工程と、
双方向テレビ番組ガイドが該番組ガイドと関係のないアプリケーション用のポータルとして機能を果たすことを可能にする、アプリケーション番組インターフェースを提供する工程と、
該ユーザが該双方向構成要素にアクセスすることを所望する場合に、該双方向テレビ番組ガイドアプリケーション内から、該番組ガイドと関係のないアプリケーションを起動する工程と、
を包含する、方法。
【請求項１４】  前記起動する工程が、前記双方向テレビ番組ガイドアプリケーションで、前記ユーザテレビ機器に画面上のオプションを表示する工程を包含する、請求項１３に記載の方法。
【請求項１５】  前記双方向テレビ番組ガイドアプリケーションによって、ビデオオンデマンド番組リスト項目を、前記ユーザテレビ機器に表示される番組ガイド表示画面の一部として含める工程をさらに包含する、請求項１４に記載の方法。
【請求項１６】  前記双方向テレビ番組ガイドアプリケーションによって、前記ビデオオンデマンド番組リスト項目を、前記ユーザテレビ番組ガイド機器に表示される番組リスト項目のリストにおいて表示する工程をさらに包含する、請求項１５に記載の方法。
【請求項１７】  前記画面上のオプションを表示する前記工程が、前記双方向テレビ番組ガイドアプリケーションを用いて、メニューオプションを番組ガイド表示画面上に表示する工程をさらに包含する、請求項１４に記載の方法。
【請求項１８】  前記画面上のオプションを表示する前記工程が、前記双方向テレビ番組ガイドアプリケーションで、特定のタイプの内容に向けた番組リスト項目を含む、番組ガイド表示画面に該画面上のオプションを表示する工程をさらに包含する、請求項１４に記載の方法。
【請求項１９】  前記起動する工程が、ホットリンクを用いて、前記双方向テレビ番組ガイドアプリケーションで、前記番組ガイドと関係のないアプリケーションを起動する工程をさらに包含する、請求項１３に記載の方法。
【請求項２０】  前記ホットリンクがウェブブラウザアプリケーションと関係する方法であって、
前記双方向テレビ番組ガイドから該ウェブブラウザアプリケーションを起動する工程と、
該双方向テレビ番組ガイドの内容と関係する内容のウェブページにアクセスするように、該ウェブブラウザアプリケーションに指令する工程と、
を包含する、請求項１９に記載の方法。
【請求項２１】  前記ホットリンクが電子メールアプリケーションと関係する方法であって、
前記双方向テレビ番組ガイドから該電子メールアプリケーションを起動する工程と、
該双方向テレビ番組ガイドの内容と関係するアドレスに電子メールをアドレスするように、該電子メールアプリケーションに指令する工程と、
を包含する、請求項１９に記載の方法。
【請求項２２】  前記ホットリンクがホームショッピングアプリケーションと関係する方法であって、
前記双方向テレビ番組ガイドから該ホームショッピングアプリケーションを起動する工程と、
該双方向テレビ番組ガイドの内容と関係する製品を提示するように、該ホームショッピングアプリケーションに指令する工程と、
を包含する、請求項１９に記載の方法。
【請求項２３】  前記ホットリンクがチャットアプリケーションと関係する方法であって、
前記双方向テレビ番組ガイドから該チャットアプリケーションを起動する工程と、
該双方向テレビ番組ガイドの内容に基づいて機能を行うように、該チャットアプリケーションに指令する工程と、
を包含する、請求項１９に記載の方法。
【請求項２４】  番組ガイドと関係のないアプリケーション内容を、前記双方向テレビ番組ガイドによって提供される番組ガイド表示画面に組み込む工程をさらに包含する、請求項１３に記載の方法。
【請求項２５】  ユーザテレビ機器を有するシステムであって、
番組ガイドと関係のない複数のアプリケーションをインプリメントする手段と、
該ユーザテレビ機器で、該番組ガイドと関係のない複数のアプリケーションのうちの特定のアプリケーションをお気に入りとして選択する機会をユーザに提供する手段と、
を含む、システム。
【請求項２６】  双方向テレビ番組ガイドアプリケーションをインプリメントする手段と、
該双方向テレビ番組ガイドアプリケーションが前記ユーザに前記番組と関係のないアプリケーションへのアクセスを提供することを可能にする、番組ガイドアプリケーション番組インターフェースを提供する手段と、
をさらに含む、請求項２５に記載のシステム。
【請求項２７】  複数の番組ガイドリソースを有する、双方向テレビ番組ガイドアプリケーションをインプリメントする手段と、
アプリケーションが該番組ガイドリソースにアクセスすることを可能にする、番組ガイドアプリケーション番組インターフェースを提供する手段と、
をさらに含む、請求項２５に記載のシステム。
【請求項２８】  複数のプラットホームリソースを提供する手段と、
アプリケーションが該プラットホームリソースにアクセスすることを可能にする、番組ガイドアプリケーション番組インターフェースを提供する手段と、
をさらに含む、請求項２５に記載のシステム。
【請求項２９】  前記ユーザテレビ機器の番組ガイド表示画面において、前記ユーザが選択した前記特定の番組ガイドと関係のないアプリケーションのリストを表示する手段をさらに含む、請求項２５に記載のシステム。
【請求項３０】  ユーザテレビ機器を有するシステムを用いる方法であって、
番組ガイドと関係のない複数のアプリケーションをインプリメントする工程と、
該ユーザテレビ機器で、該番組ガイドと関係のない複数のアプリケーションのうちの特定のアプリケーションをお気に入りとして選択する機会をユーザに提供する工程と、
を包含する、方法。
【請求項３１】  双方向テレビ番組ガイドアプリケーションをインプリメントする工程と、
該双方向テレビ番組ガイドアプリケーションが前記ユーザに前記番組ガイドと関係のないアプリケーションへのアクセスを提供することを可能にする、番組ガイドアプリケーション番組インターフェースを提供する工程と、
をさらに包含する、請求項３０に記載の方法。
【請求項３２】  複数の番組ガイドリソースを有する、双方向テレビ番組ガイドアプリケーションをインプリメントする工程と、
アプリケーションが該番組ガイドリソースにアクセスすることを可能にする、番組ガイドアプリケーション番組インターフェースを提供する工程と、
をさらに包含する、請求項３０に記載の方法。
【請求項３３】  複数のプラットホームリソースを提供する工程と、
アプリケーションが該プラットホームリソースにアクセスすることを可能にする、番組ガイドアプリケーション番組インターフェースを提供する工程と、
をさらに包含する、請求項３０に記載の方法。
【請求項３４】  前記ユーザテレビ機器の番組ガイド表示画面において、前記ユーザが選択した前記特定の番組ガイドと関係のないアプリケーションのリストを表示する工程をさらに包含する、請求項３０に記載の方法。
【請求項３５】  番組ガイドと関係のない複数のアプリケーションが少なくとも部分的にインプリメントされるユーザテレビ機器を備えるシステムであって、該ユーザテレビ機器が、該番組ガイドと関係のない複数のアプリケーションのうちの特定のアプリケーションを、お気に入りとして選択する機会をユーザに提供するように構築される、システム。
【請求項３６】  双方向テレビ番組ガイドアプリケーションが、前記ユーザテレビ機器上で少なくとも部分的にインプリメントされるシステムであって、該システムは、前記双方向テレビ番組ガイドが前記ユーザに前記番組と関係のないアプリケーションへのアクセスを提供することを可能にする、番組ガイドアプリケーション番組インターフェースをさらに備える、請求項３５に記載のシステム。
【請求項３７】  複数の番組ガイドリソースを有する双方向テレビ番組ガイドアプリケーションが、前記ユーザテレビ機器上で少なくとも部分的にインプリメントされるシステムであって、該システムが、アプリケーションが該番組ガイドリソースにアクセスすることを可能にする、番組ガイドアプリケーション番組インターフェースをさらに備える、請求項３５に記載のシステム。
【請求項３８】  複数のプラットホームリソースと、
アプリケーションが該プラットホームリソースにアクセスすることを可能にする、番組ガイドアプリケーション番組インターフェースをさらに備える、請求項３５に記載のシステム。
【請求項３９】  前記ユーザテレビ機器の番組ガイド表示画面において、前記ユーザが選択した前記特定の番組ガイドと関係のないアプリケーションのリストが表示される、請求項３５に記載のシステム。
【請求項４０】  ユーザテレビ機器を有するシステムであって、
番組ガイドと関係のない複数のアプリケーションをインプリメントする手段と、
ユーザテレビ機器で、前記番組ガイドと関係のない複数のアプリケーションのうちの特定のアプリケーションについて視聴制限を設定する機会をユーザに提供する手段と、
を含む、システム。
【請求項４１】  双方向テレビ番組ガイドアプリケーションをインプリメントする手段と、
該双方向テレビ番組ガイドアプリケーションが前記ユーザに前記番組ガイドと関係のないアプリケーションへのアクセスを提供することを可能にする、番組ガイドアプリケーション番組インターフェースを提供する手段と、
をさらに含む、請求項４０に記載のシステム。
【請求項４２】  複数の番組ガイドリソースを有する、双方向テレビ番組ガイドアプリケーションをインプリメントする手段と、
アプリケーションが該番組ガイドリソースにアクセスすることを可能にする、番組ガイドアプリケーション番組インターフェースを提供する手段と、
をさらに含む、請求項４０に記載のシステム。
【請求項４３】  複数のプラットホームリソースを提供する手段と、
アプリケーションが該プラットホームリソースにアクセスすることを可能にする、番組ガイドアプリケーション番組インターフェースを提供する手段と、
をさらに含む、請求項４０に記載のシステム。
【請求項４４】  どの番組ガイドと関係のないアプリケーションが視聴制限によってロックされたかを示す番組ガイド表示画面を表示する手段をさらに含む、請求項４０に記載のシステム。
【請求項４５】  ユーザテレビ機器を有するシステムを用いる方法であって、
番組ガイドと関係のない複数のアプリケーションをインプリメントする工程と、
該番組ガイドと関係のない複数のアプリケーションのうち特定の１つに視聴制限を設定する機会を該ユーザテレビ機器のそばに居るユーザに提供する工程と、
を包含する方法。
【請求項４６】  双方向テレビ番組ガイドアプリケーションをインプリメントする工程と、
該双方向テレビ番組ガイドアプリケーションが前記番組ガイドと関係のないアプリケーションへのアクセスを前記ユーザに提供することを可能にする番組ガイドアプリケーション番組インターフェースを提供する工程と、
をさらに包含する、請求項４５に記載の方法。
【請求項４７】  複数の番組ガイドリソースを有する双方向テレビ番組ガイドアプリケーションをインプリメントする工程と、
アプリケーションが該番組ガイドリソースにアクセスすることを可能にする番組ガイドアプリケーション番組インターフェースを提供する工程と、
をさらに包含する、請求項４５に記載の方法。
【請求項４８】  複数のプラットフォームリソースを提供する工程と、
アプリケーションが該プラットフォームリソースにアクセスすることを可能にする番組ガイドアプリケーション番組インターフェースを提供する工程と、
をさらに包含する、請求項４５に記載の方法。
【請求項４９】  番組ガイドと関係のないアプリケーションのうち視聴制限によってロックされているものを示す番組ガイド表示画面を表示する工程をさらに包含する、請求項４５に記載の方法。
【請求項５０】  番組ガイドと関係のない複数のアプリケーションが少なくとも部分的にインプリメントされるユーザテレビ機器を備えるシステムであって、該ユーザテレビ機器は、該番組ガイドと関係のない複数のアプリケーションのうち特定のものに視聴制限を設定する機会をユーザに提供するよう構成される、システム。
【請求項５１】  前記ユーザテレビ機器上に双方向テレビ番組ガイドアプリケーションが少なくとも部分的にインプリメントされ、該双方向テレビ番組ガイドアプリケーションが前記番組ガイドと関係のないアプリケーションへのアクセスを前記ユーザに提供することを可能にする番組ガイドアプリケーション番組インターフェースをさらに備える、請求項５０に記載のシステム。
【請求項５２】  前記ユーザテレビ機器上に複数の番組ガイドリソースを有する双方向テレビ番組ガイドアプリケーションが少なくとも部分的にインプリメントされ、アプリケーションが該番組ガイドリソースへアクセスすることを可能にする番組ガイドアプリケーション番組インターフェースをさらに備える、請求項５０に記載のシステム。
【請求項５３】  複数のプラットフォームリソースと、
アプリケーションが該プラットフォームリソースにアクセスすることを可能にする番組ガイドアプリケーション番組インターフェースと、
をさらに備える、請求項５０に記載のシステム。
【請求項５４】  どの番組ガイドと関係のないアプリケーションが視聴制限によってロックされているかを示す番組番組ガイド画面が表示される、請求項５０に記載の方法。
【請求項５５】  ユーザのユーザテレビ機器を有する双方向テレビ番組ガイドシステムであって、
該ユーザテレビ機器上に少なくとも部分的にインプリメントされる双方向テレビ番組ガイドアプリケーションと、
該ユーザテレビ機器上に少なくとも部分的にインプリメントされる番組ガイドと関係のない複数のアプリケーションであって、該双方向テレビ番組ガイドアプリケーションおよび該番組ガイドと関係のない複数のアプリケーションのうち１つのアプリケーションがフォアグラウンドアプリケーションとして動作し、該双方向テレビ番組ガイドアプリケーションおよび該番組ガイドと関係のない複数のアプリケーションのうち別のアプリケーションがバックグラウンドアプリケーションとして動作する、アプリケーションと、
該バックグラウンドアプリケーションを動作させながら該フォアグラウンドアプリケーションを動作させることを可能にする手段と、
該フォアグラウンドアプリケーションが動作している間に、該バックグラウンドアプリケーションによる早急な注意を要するイベントを確認する手段と、
該早急な注意を要するイベントの１つが検出されたときに、該フォアグラウンドアプリケーションの動作を一時中断する手段と、
該フォアグラウンドアプリケーションの動作が一時中断したときに、該検出されたイベントを実行するかまたは該所与のフォアグラウンドアプリケーションの動作を再開するかを該ユーザに尋ねるメッセージを該ユーザテレビ機器上に表示する手段と、
を備えるシステム。
【請求項５６】  前記イベントを確認する手段は、ユーザアクティビティを確認する手段をさらに備える、請求項５５に記載のシステム。
【請求項５７】  前記ユーザアクティビティを確認する手段は、ユーザのキー押圧を確認する手段をさらに備える、請求項５６に記載のシステム。
【請求項５８】  前記イベントを確認する手段は、ユーザが選択したアクションを確認する手段をさらに備える、請求項５５に記載のシステム。
【請求項５９】  前記ユーザが選択したアクションを確認する手段は、リマインダを確認する手段をさらに備える、請求項５８に記載のシステム。
【請求項６０】  ユーザのユーザテレビ機器を有する双方向テレビ番組ガイドシステムを用いる方法であって、
該ユーザテレビ機器上に双方向テレビ番組ガイドアプリケーションを少なくとも部分的にインプリメントする工程と、
該ユーザテレビ機器上に番組ガイドと関係のない複数のアプリケーションを少なくとも部分的にインプリメントする工程であって、該双方向テレビ番組ガイドアプリケーションおよび該番組ガイドと関係のない複数のアプリケーションのうち１つのアプリケーションがフォアグラウンドアプリケーションとして動作し、該双方向テレビ番組ガイドアプリケーションおよび該番組ガイドと関係のない複数のアプリケーションのうち別のアプリケーションがバックグラウンドアプリケーションとして動作する、工程と、
該バックグラウンドアプリケーションが動作している間に該フォアグラウンドアプリケーションが動作することを可能にする工程と、
該フォアグラウンドアプリケーションが動作している間に該バックグラウンドアプリケーションによる早急な注意を要するイベントを確認する工程と、
早急な注意を要するイベントの１つが検出されたときに、該フォアグラウンドアプリケーションの動作を一時中断する工程と、
該フォアグラウンドアプリケーションの動作が一時中断したときに、該検出されたイベントを実行するかまたは該所与のフォアグラウンドアプリケーションの動作を再開するかを該ユーザに尋ねるメッセージを該ユーザテレビ機器上に表示する工程と、
を包含する方法。
【請求項６１】  前記イベント確認工程は、ユーザアクティビティを確認する工程をさらに包含する、請求項６０に記載の方法。
【請求項６２】  前記ユーザアクティビティを確認する工程は、ユーザのキー押圧を確認する工程を包含する、請求項６１に記載の方法。
【請求項６３】  前記イベント確認工程は、ユーザが選択したアクションを確認する工程をさらに包含する、請求項６０に記載の方法。
【請求項６４】  前記ユーザが選択したアクションを確認する工程は、リマインダを確認する工程をさらに包含する、請求項６３に記載の方法。
【請求項６５】  双方向テレビ番組ガイドシステムであって、
双方向テレビ番組ガイドアプリケーションが少なくとも部分的にインプリメントされ、番組ガイドと関係のない複数のアプリケーションが少なくとも部分的にインプリメントされるユーザテレビ機器を備え、ここで、
該双方向テレビ番組ガイドアプリケーションおよび該番組ガイドと関係のない複数のアプリケーションの中から１つのアプリケーションがフォアグラウンドアプリケーションとして動作し、該双方向テレビ番組ガイドアプリケーションおよび該番組ガイドと関係のない複数のアプリケーションの中から別のアプリケーションがバックグラウンドアプリケーションとして動作し、
該バックグラウンドアプリケーションが動作している間に該フォアグラウンドアプリケーションが動作し、
該バックグラウンドアプリケーションによる早急な注意を要するイベントが、該フォアグラウンドアプリケーションが動作している間に確認を受け、
該早急な注意を要するイベントの１つが検出されたとき、該フォアグラウンドアプリケーションの動作が一時中断し、
該フォアグラウンドアプリケーションの動作が一時中断したときに、該検出されたイベントを実行するかまたは該所与のフォアグラウンドアプリケーションの動作を再開するかを該ユーザに尋ねるメッセージが該ユーザテレビ機器上に表示される、
システム。
【請求項６６】  前記双方向テレビ番組ガイドアプリケーションは、ユーザアクティビティを確認することにより前記イベントを確認する、請求項６５に記載のシステム。
【請求項６７】  前記双方向テレビ番組ガイドアプリケーションは、ユーザのキー押圧を確認することにより前記ユーザアクティビティを確認する、請求項６６に記載のシステム。
【請求項６８】  前記双方向テレビ番組ガイドアプリケーションは、ユーザが選択したアクションを確認することによりイベントを確認する、請求項６５に記載のシステム。
【請求項６９】  前記双方向テレビ番組ガイドは、リマインダを確認することにより前記ユーザが選択したアクションを確認する、請求項６８に記載のシステム。
【請求項７０】  ユーザテレビ機器を有するシステムであって、
該ユーザテレビ機器上に番組ガイドと関係のない複数のアプリケーションを少なくとも部分的にインプリメントする手段であって、該番組ガイドと関係のないアプリケーションに関連するコンテンツを該ユーザテレビ機器に表示する、手段と、
該番組ガイドと関係のないアプリケーションに関連するコンテンツにリマインダを設定する機会をユーザに提供する手段と、
を備えるシステム。
【請求項７１】  前記ユーザテレビ機器上に双方向テレビ番組ガイドアプリケーションを少なくとも部分的にインプリメントする手段であって、前記双方向テレビ番組ガイドアプリケーションに関連するコンテンツを該ユーザテレビ機器に表示する、手段と、
該双方向テレビ番組ガイドアプリケーションに関連するコンテンツにリマインダを設定する機会を前記ユーザに提供する手段と、
をさらに備える、請求項７０に記載のシステム。
【請求項７２】  番組ガイドと関係のない複数のアプリケーションが少なくとも部分的にインプリメントされるユーザテレビ機器を備えるシステムであって、該番組ガイドと関係のないアプリケーションに関連するコンテンツを該ユーザテレビ機器に表示し、該番組ガイドと関係のないアプリケーションに関連するコンテンツにリマインダを設定する機会をユーザに提供する、
システム。
【請求項７３】  前記ユーザテレビ機器上に双方向テレビ番組ガイドアプリケーションを少なくとも部分的にインプリメントし、該双方向テレビ番組ガイドアプリケーションに関連するコンテンツを該ユーザテレビ機器に表示し、該双方向テレビ番組ガイドアプリケーションに関連するコンテンツにリマインダを設定する機会を前記ユーザに提供する、請求項７２に記載のシステム。
【請求項７４】  ユーザテレビ機器を有するシステムを用いる方法であって、
番組ガイドと関係のない複数のアプリケーションを該ユーザテレビ機器上に少なくとも部分的にインプリメントする工程であって、該番組ガイドと関係のない複数のアプリケーションに関連するコンテンツが該ユーザテレビ機器に表示される、工程と、
該番組ガイドと関係のないアプリケーションに関連するコンテンツにリマインダを設定する機会を前記ユーザに提供する工程と、
を包含する方法。
【請求項７５】  双方向テレビ番組ガイドアプリケーションを前記ユーザテレビ機器上に少なくとも部分的にインプリメントする工程であって、該双方向テレビ番組ガイドアプリケーションに関連するコンテンツが該ユーザテレビ機器に表示される、工程と、
該双方向テレビ番組ガイドアプリケーションに関連するコンテンツにリマインダを設定する機会を前記ユーザに提供する工程と、
をさらに包含する、請求項７４に記載の方法。
【請求項７６】  番組ガイドと関係のない少なくとも１つのアプリケーションがインプリメントされるサーバを有するテレビ配信設備と、
該テレビ配信設備からテレビ番組を受信し、リソースを有するユーザテレビ機器であって、該ユーザテレビ機器上には、アプリケーション番組インターフェースが少なくとも部分的にインプリメントされ、双方向テレビ番組ガイドアプリケーションが少なくとも部分的にインプリメントされる、ユーザテレビ機器と、
該アプリケーション番組インターフェースを用いて、該双方向テレビ番組ガイドアプリケーションおよび番組ガイドと関係のない少なくとも１つのアプリケーションのリソースへのアクセスを調整する手段と、
を備えるシステム。
【請求項７７】  前記サーバ上でインプリメントされる番組ガイドと関係のない複数のアプリケーションが存在するシステムであって、前記アプリケーション番組インターフェースを用いて、前記双方向テレビ番組ガイドアプリケーションおよび該番組ガイドと関係のない複数のアプリケーションの中の前記リソースへのアクセスを調整する手段をさらに備える、
請求項７６に記載のシステム。
【請求項７８】  インターネット上に配置されたサーバに番組ガイドと関係のない少なくとも１つのアプリケーションをインプリメントする手段と、
前記アプリケーション番組インターフェースを用いて、前記双方向テレビ番組ガイドアプリケーション、該インターネット上の該サーバ上に配置された前記番組ガイドと関係のない少なくとも１つのアプリケーション、および前記テレビ配信設備にあるサーバ上に配置された前記番組ガイドと関係ない複数のアプリケーションの中の前記リソースへのアクセスを調整する手段と、
をさらに備える、請求項７７に記載のシステム。
【請求項７９】  インターネット上に配置されたサーバに番組ガイドと関係のない少なくとも１つのアプリケーションをインプリメントする手段と、
前記アプリケーション番組インターフェースを用いて、前記双方向テレビ番組ガイドアプリケーション、該インターネット上の該サーバ上に配置された前記番組ガイドと関係のない少なくとも１つのアプリケーション、および前記テレビ配信設備にあるサーバ上に配置された該番組ガイドと関係ない少なくとも１つのアプリケーションの中の前記リソースへのアクセスを調整する手段と、
をさらに備える、請求項７６に記載のシステム。
【請求項８０】  番組ガイドと関係のない少なくとも１つのアプリケーションがインプリメントされたサーバを有するテレビ配信設備と、該テレビ配信設備に接続されたユーザテレビ機器であって、テレビ番組を受信するユーザテレビ機器とを有するシステムを用いる方法であって、
アプリケーション番組インターフェースおよび双方向テレビ番組ガイドアプリケーションを少なくとも部分的に該ユーザテレビ機器上にインプリメントする工程と、
該アプリケーション番組インターフェースを用いて、該双方向テレビ番組ガイドアプリケーションおよび該番組ガイドと関係のない少なくとも１つのアプリケーションの中のリソースへのアクセスを調整する工程と、
を包含する方法。
【請求項８１】  前記サーバ上にインプリメントされる番組ガイドと関係のない複数のアプリケーションが存在する方法であって、前記アプリケーション番組インターフェースを用いて、前記双方向テレビ番組ガイドアプリケーションおよび該番組ガイドと関係のない複数のアプリケーションの中のリソースへのアクセスを調整する工程をさらに包含する、請求項８０に記載の方法。
【請求項８２】  前記インターネット上に配置されたサーバ上に番組ガイドと関係のない少なくとも１つのアプリケーションをインプリメントする工程と、
前記アプリケーション番組インターフェースを用いて、前記双方向テレビ番組ガイドアプリケーション、該インターネット上の該サーバ上に配置された該番組ガイドと関係のない少なくとも１つのアプリケーション、および前記テレビ配信設備にあるサーバ上に配置された前記番組ガイドと関係のない複数のアプリケーションの中のリソースへのアクセスを調整する工程と、
をさらに包含する、請求項８１に記載の方法。
【請求項８３】  前記インターネット上に配置されたサーバ上に番組ガイドと関係のない少なくとも１つのアプリケーションをインプリメントする工程と、
前記アプリケーション番組インターフェースを用いて、前記双方向テレビ番組ガイドアプリケーション、該インターネット上の該サーバ上に配置された該番組ガイドと関係のない少なくとも１つのアプリケーション、および前記テレビ配信設備にあるサーバ上に配置された該番組ガイドと関係のない少なくとも１つのアプリケーションの中のリソースへのアクセスを調整する工程と、
をさらに包含する、請求項８０に記載の方法。
【請求項８４】  番組ガイドと関係のない少なくとも１つのアプリケーションがインプリメントされるサーバを有するテレビ配信設備と、
該テレビ配信設備からテレビ番組を受信し、リソースを有するユーザテレビ機器であって、該ユーザテレビ機器上には、アプリケーション番組インターフェースおよび双方向テレビ番組ガイドアプリケーションが少なくとも部分的にインプリメントされ、該アプリケーション番組インターフェースは、該双方向テレビ番組ガイドアプリケーションおよび該番組ガイドと関係のない少なくとも１つのアプリケーションの中のリソースへのアクセスを調整する、ユーザテレビ機器と、
を備えるシステム。
【請求項８５】  前記サーバにインプリメントされる番組ガイドと関係のない複数のアプリケーションが存在し、前記ユーザテレビ機器は、前記アプリケーション番組インターフェースを用いて前記双方向テレビ番組ガイドアプリケーションおよび該番組ガイドと関係のない複数のアプリケーションの中のリソースへのアクセスを調整するようさらに構成される、請求項８４に記載のシステム。
【請求項８６】  番組ガイドと関係のない少なくとも１つのアプリケーションがインプリメントされる前記インターネット上に配置されたサーバをさらに備えたシステムであって、前記アプリケーション番組インターフェースは、前記双方向テレビ番組ガイドアプリケーション、該インターネット上のサーバ上に配置された前記番組ガイドと関係のない少なくとも１つのアプリケーション、および前記テレビ配信設備にあるサーバ上に配置された前記番組ガイドと関係のない複数のアプリケーションの中のリソースへのアクセスを調整する、請求項８５に記載のシステム。
【請求項８７】  番組ガイドと関係のない少なくとも１つのアプリケーションがインプリメントされる前記インターネット上に配置されたサーバをさらに備えたシステムであって、前記アプリケーション番組インターフェースは、前記双方向テレビ番組ガイドアプリケーション、該インターネット上のサーバ上に配置された前記番組ガイドと関係のない少なくとも１つのアプリケーション、および前記テレビ配信設備にあるサーバ上に配置された前記番組ガイドと関係のない少なくとも１つのアプリケーションの中のリソースへのアクセスを調整する、請求項８４に記載のシステム。
【請求項８８】  ユーザテレビ機器を有する双方向テレビ番組ガイドシステムであって、
該ユーザテレビ機器上に少なくとも部分的に双方向テレビ番組ガイドアプリケーションをインプリメントする手段と、
該ユーザテレビ機器上に少なくとも部分的に番組ガイドと関係のない複数のアプリケーションをインプリメントする手段であって、該双方向テレビ番組ガイドアプリケーションおよび番組ガイドと関係のないアプリケーションはリソースを有する、手段と、
該ユーザテレビ機器上に少なくとも部分的にアプリケーション番組インターフェースをインプリメントする手段と、
該アプリケーション番組インターフェースを用いて、該アプリケーションからの該リソース使用リクエストを認証する手段と、
を備える、システム。
【請求項８９】  前記アプリケーション番組インターフェースを用いて、前記アプリケーションへのアクセス権を判定する手段をさらに備える、請求項８８に記載のシステム。
【請求項９０】  ユーザテレビ機器を有する双方向テレビ番組ガイドシステムを用いる方法であって、
該ユーザテレビ機器上に双方向テレビ番組ガイドアプリケーションを少なくとも部分的にインプリメントする工程と、
該ユーザテレビ機器上に番組ガイドと関係のない複数のアプリケーションを少なくとも部分的にインプリメントする工程であって、該双方向テレビ番組ガイドアプリケーションおよび該番組ガイドと関係のないアプリケーションは、リソースを有する、工程と、
該ユーザテレビ機器上にアプリケーション番組インターフェースを少なくとも部分的にインプリメントする工程と、
該アプリケーション番組インターフェースを用いて、該アプリケーションからの該リソースの使用リクエストを認証する工程と、
を包含する方法。
【請求項９１】  前記アプリケーション番組インターフェースを用いて、前記アプリケーションへのアクセス権を判定する工程をさらに包含する、請求項９０に記載の方法。
【請求項９２】  双方向テレビ番組ガイドシステムであって、
リソースを有する双方向テレビ番組ガイドアプリケーション、リソースを有する番組ガイドと関係のない複数のアプリケーション、およびアプリケーション番組インターフェースが少なくとも部分的にインプリメントされるユーザテレビ機器であって、該ユーザテレビ機器は、該アプリケーション番組インターフェースが該アプリケーションからのリソース使用リクエストを認証するよう構成される、ユーザテレビ機器を備える、
システム。
【請求項９３】  前記ユーザテレビ機器は、前記アプリケーション番組インターフェースが前記アプリケーションへのアクセス権を判定するようさらに構成される、請求項９２に記載のシステム。
【請求項９４】  インターネット上に配置されたサーバ上に番組ガイドと関係のない少なくとも１つのアプリケーションをインプリメントする手段と、
テレビ番組を提供するテレビ配信設備と、
該テレビ配信設備からテレビ番組を受信し、リソースを有するユーザテレビ機器であって、該ユーザテレビ機器上には、アプリケーション番組インターフェースおよび双方向テレビ番組ガイドアプリケーションが少なくとも部分的にインプリメントされる、ユーザテレビ機器と、
該アプリケーション番組インターフェースを用いて、該双方向テレビ番組ガイドアプリケーションおよび該番組ガイドと関係のない少なくとも１つのアプリケーションの中のリソースへのアクセスを調整する手段と、
を備えるシステム。
【請求項９５】  システムを用いる方法であって、
インターネット上に配置されたサーバ上に番組ガイドと関係のない少なくとも１つのアプリケーションをインプリメントする工程と、
テレビ配信設備にテレビ番組を提供する工程と、
ユーザテレビ機器を用いてテレビ番組を受信する工程であって、該ユーザテレビ機器は、リソースを有する、工程と、
該ユーザテレビ機器上にアプリケーション番組インターフェースを少なくとも部分的にインプリメントする工程と、
該ユーザテレビ機器上に双方向テレビ番組ガイドアプリケーションを少なくとも部分的にインプリメントする工程と、
該アプリケーション番組インターフェースを用いて、該双方向テレビ番組ガイドアプリケーションおよび該番組ガイドと関係のない少なくとも１つのアプリケーションの中のリソースへのアクセスを調整する手段と、
を備える方法。
【請求項９６】  番組ガイドと関係のない少なくとも１つのアプリケーションがインプリメントされるインターネット上に配置されたサーバと、
テレビ番組を提供するテレビ配信設備と、
該テレビ配信設備からテレビ番組を受信し、リソースを有するユーザテレビ機器であって、該ユーザテレビ機器上には、アプリケーション番組インターフェースおよび双方向テレビ番組ガイドアプリケーションが少なくとも部分的にインプリメントされ、該アプリケーション番組インターフェースは、該双方向テレビ番組ガイドアプリケーションおよび該番組ガイドと関係のない少なくとも１つのアプリケーションの中のリソースへのアクセスを調整する、ユーザテレビ機器と、
を備えるシステム。
【請求項９７】  ユーザの家において複数の相互接続されたユーザテレビ機器デバイスが存在し、リソースが存在するシステムであって、
第１のユーザテレビ機器デバイス上に双方向テレビ番組ガイドをインプリメントする手段と、
該第１のユーザテレビ機器デバイスに接続された第２のユーザテレビ機器デバイス上に少なくとも１つの別のアプリケーションをインプリメントする手段であって、該第１のユーザテレビ機器デバイスおよび該第２のユーザテレビ機器デバイスのうち少なくとも１つの上にアプリケーション番組インターフェースがインプリメントされ、該アプリケーション番組インターフェースは、該双方向テレビ番組ガイドアプリケーションおよび該別のアプリケーションの該リソースへのアクセスを調整する、手段と、
を備えるシステム。
【請求項９８】  ユーザの家庭内に複数の相互接続されたユーザテレビ機器デバイスが存在し、リソースが存在するシステムを用いる方法であって、
第１のユーザテレビ機器デバイス上に双方向テレビ番組ガイドをインプリメントする工程と、
該第１のユーザテレビ機器デバイスに接続された第２のユーザテレビ機器デバイス上に少なくとも１つの別のアプリケーションをインプリメントする工程であって、該第１のユーザテレビ機器デバイスおよび該第２のユーザテレビ機器デバイスのうち少なくとも１つの上にアプリケーション番組インターフェースがインプリメントされ、該アプリケーション番組インターフェースは、該双方向テレビ番組ガイドアプリケーションおよび該別のアプリケーションの該リソースへのアクセスを調整する、工程と、
を包含する方法。
【請求項９９】  ユーザの家庭内に複数の相互接続されたユーザテレビ機器デバイスが存在し、リソースが存在するシステムであって、
双方向テレビ番組ガイドアプリケーションがインプリメントされる第１のユーザテレビ機器デバイスと、
該第１のユーザテレビ機器デバイスに接続され、少なくとも１つの別のアプリケーションがインプリメントされる第２のユーザテレビ機器デバイスであって、該第１および第２ののユーザテレビ機器デバイスのうち少なくとも１つの上にアプリケーション番組インターフェースがインプリメントされ、該アプリケーション番組インターフェースは、該双方向テレビ番組ガイドアプリケーションおよび該別のアプリケーションの該リソースへのアクセスを調整する、ユーザテレビ機器デバイスと、
を備える、システム。